(57)【要約】【課題】  コネクタ間の接続時における、コネクタとコネクタが実装された回路基板との間の接続の破損を防止する。【解決手段】  ＨＤＤ１は、シリアルＡＴＡコネクタ１６を備えている。コネクタは回路基板１５上に実装されている。ＨＤＤ１は、コネクタを回路基板に固定するスティッフナ１７を備える。ホスト側コネクタとの接続時において、コネクタ１６がベース１１側に動くと、スティッフナ１７がベースに当接し、コネクタ１６の移動を止める。これによって、コネクタと回路基板との接続の破損を防止することができる。【選択図】  図５
2006073481.tif 000002
【特許請求の範囲】
【請求項１】
データ記憶装置本体と、
前記データ記憶装置本体に実装された回路基板と、
ハウジングと前記ハウジングに配置された複数の接続端子とを備え、前記回路基板上に実装されたコネクタと、
前記ハウジングが前記回路基板表面から離れる方向に動いた場合に、前記ハウジングと対向する壁部に当接して前記ハウジングの動きを止めるストッパと、
を有するデータ記憶装置。
【請求項２】
前記ストッパは前記ハウジングと別部材で形成され、前記回路基板に固定され、前記ハウジングと嵌合し、前記コネクタを前記回路基板に固定する、請求項１に記載のデータ記憶装置。
【請求項３】
前記ストッパの前記回路基板からの高さは、前記ハウジングの最も高い位置よりも高い、請求項２に記載のデータ記憶装置。
【請求項４】
前記ストッパは前記ハウジングに形成された穴に嵌合されている、請求項２に記載のデータ記憶装置。
【請求項５】
前記ハウジングは前記複数の接続端子が固定されるベース部と、前記ベース部の側部に形成された側壁部とを備え、
前記複数の接続端子は前記ベース部に配列され、前記ベース部から前方に突出し対応コネクタと接続されるコンタクト部を備え、
前記ストッパは前記側壁部に形成された穴に嵌合し、前記複数の接続端子が配列された方向において前記コンタクト部と対向している、
請求項２に記載のデータ記憶装置。
【請求項６】
前記側壁部は、前記複数のコンタクト部と対向する位置に、前記コネクタと接続される対応コネクタのハウジングが嵌合する嵌合穴を備え、
前記ストッパの前記回路基板からの高さは前記側壁部の最も高い位置よりも高い、
請求項５に記載のデータ記憶装置。
【請求項７】
前記コネクタと接続される対応コネクタのハウジングと、前記コネクタの前記ハウジングとが嵌合する、請求項２に記載のデータ記憶装置。
【請求項８】
前記データ記憶装置本体は、記録媒体を収容するエンクロージャを備え、
前記回路基板は前記エンクロージャの外表面上に、前記コネクタが前記エンクロージャと対向するように配置され、
前記ハウジングと対向する壁部は前記エンクロージャの一部である、
請求項２に記載のデータ記憶装置。
【請求項９】
前記コネクタは前記回路基板の一辺側に配置され、
前記回路基板は前記エンクロージャと前記一辺側の両コーナ部においてネジによって固定されており、
前記ストッパが嵌合する前記回路基板に形成された穴の中心は、前記両コーナ部のネジのヘッドの前記一辺側の基板端から最も内側に位置する点をそれぞれ結ぶ線の上、もしくはその線より前記基板端側に形成されている
請求項８に記載のデータ記憶装置。
【請求項１０】
前記ストッパが嵌合する前記回路基板に形成された穴の中心は、前記両コーナ部のネジがそれぞれ嵌合する前記回路基板に形成された穴の中心を結ぶ線の上、もしくはその線より前記基板端側に形成されている
請求項９に記載のデータ記憶装置。
【請求項１１】
記録媒体を収容するエンクロージャを備えるデータ記憶装置本体と、
前記エンクロージャの面上に配置された回路基板と、
ハウジングと前記ハウジングに配置された複数の接続端子とを備え、前記回路基板の一辺側に配置されたコネクタと、
前記回路基板に固定され、前記ハウジングと嵌合し、前記コネクタを前記回路基板に固定するスティッフナと、を有し、
前記回路基板は前記エンクロージャと前記一辺側の両コーナ部においてネジによって固定され、
前記スティッフナが嵌合する前記回路基板に形成された穴の中心は、前記両コーナ部のネジのヘッドの前記一辺側の基板端から最も内側に位置する点をそれぞれ結ぶ線の上、もしくはその線より前記基板端側に形成されている、データ記憶装置。
【請求項１２】
前記スティッフナが嵌合する前記回路基板に形成された穴の中心は、前記両コーナ部のネジがそれぞれ嵌合する前記回路基板に形成された穴の中心を結ぶ線の上、もしくはその線より前記基板端側に形成されている、請求項１１に記載のデータ記憶装置。
【請求項１３】
データ記憶装置の記録媒体を収容するエンクロージャの面上に配置される回路基板上において、前記エンクロージャと対向する位置に固定されるコネクタであって、
ハウジングと、
前記ハウジングに配置された複数の接続端子と、
前記ハウジングに形成された穴に嵌合し、前記ハウジングの前記回路基板への実装面と反対側において前記ハウジングの表面の最も高い位置よりも突出している突出部材と、
を有するコネクタ。
【請求項１４】
磁気ディスクを収容し、ベースとトップカバーを有するエンクロージャと、
前記ベースの外側に配置され、制御回路が実装された回路基板と、
ハウジングと前記ハウジングに配置された複数の接続端子とを備え、前記回路基板上に実装されたコネクタと、
前記基板に固定され、前記ハウジングを前記基板に固定するスティッフナと、を有し、
前記ハウジングは前記複数の接続端子が配列されるベース部と、前記ベース部の側部に形成された側壁部とを備え、
前記複数の接続端子は、前記ベース部から前方に突出しホスト側コネクタと接続されるコンタクト部を備え、
前記スティッフナは前記側壁部に形成された穴に嵌合し、前記複数の接続端子が配列された方向において前記コンタクト部と対向し、前記側壁部の前記ベースと対向する面から突出し、
前記スティッフナと前記エンクロージャのベースとの距離は前記側壁部と前記エンクロージャのベースとの間の最も小さいギャップよりも小さい、
磁気ディスク装置。
【発明の詳細な説明】
【技術分野】
【０００１】
本発明はデータ記憶装置、コネクタ及び磁気ディスク装置に関し、特に、シリアルＡＴＡコネクタを備えるハード・ディスク・ドライブに好適である。
【背景技術】
【０００２】
情報記録再生装置として、光ディスクや磁気テープなどの様々な態様のメディアを使用する装置が知られている。その中で、ハード・ディスク・ドライブ（以下、ＨＤＤ）は、コンピュータの記憶装置として広く普及し、現在のコンピュータ・システムにおいて欠かすことができない記憶装置の一つとなっている。さらに、コンピュータにとどまらず、動画像記録再生装置、カーナビゲーション・システム、あるいはデジタル・カメラなどで使用されるリムーバブルメモリなど、ＨＤＤの用途は、その優れた特性により益々拡大している。
【０００３】
ＨＤＤで使用される磁気ディスクは、同心円状に形成された複数のトラックを有しており、各トラックは複数のセクタに区分されている。各セクタにはセクタのアドレス情報と、ユーザ・データが記憶される。ヘッドがセクタのアドレス情報に従って所望のセクタにアクセスすることによって、セクタへのデータ書き込みあるいはセクタからのデータ読み出しを行うことができる。データ読み出し処理において、ヘッドが磁気ディスクから読み出した信号は、信号処理回路によって波形整形や復号処理などの所定の信号処理が施され、ホストに送信される。ホストからの転送データは、信号処理回路によって同様に所定処理された後に、磁気ディスクに書き込まれる。
【０００４】
コンピュータなどのホストとＨＤＤとの間のデータ伝送のためのインターフェースは、ＳＣＳＩ（Small Computer System Interface）インターフェースやＡＴＡ（AT Attachment）インターフェースなどのプロトコルが一般に使用されている。特に、ＡＴＡインターフェースは、インターフェース機能の向上と低コストの点から、多くのコンピュータにおいて利用され、また、光ディスク記憶装置などの他のタイプに記憶装置のインターフェースとしても広く利用されている。記録媒体の記録密度の向上及びパフォーマンス向上への要求から、ＡＴＡインターフェースのデータ伝送速度に対する要求は、益々厳しいものになっている。このため、従来のパラレル伝送による伝送方式に代えて、シリアル伝送によるＡＴＡインターフェース（シリアルＡＴＡ）が提案されている。
【０００５】
シリアルＡＴＡの規格は、"Serial ATA Working Group"によって策定が進められている。既にリリースされている"Serial ATA II：Extensions to Serial ATA 1.0 Specification"においては、従来のパラレルＡＴＡにはない、いくつかの技術が採用されている。パラレルからシリアルへの伝送方式の変更に伴い、ＨＤＤとＰＣなどのホストとを接続するコネクタの構造についても、大きな変更が加えられている。
【０００６】
ここで、例えば、特許文献１は、シリアルＡＴＡインターフェースに準拠したコネクタにおいて、製品の欠陥率を低下させるインピーダンス同調型コネクタを提案している。このインピーダンス同調型コネクタは、絶縁ハウジングと、絶縁ハウジングに配置された複数の信号端子とを備え、各端子はコンタクト部分とピン部分を有する。信号端子の各２つの隣接コンタクト部分間にはピット部分が配置され、１つの信号端子をその隣接信号端子から空気で分離する。空気は誘電率がプラスチックより低いため、２つの信号端子間のキャパシタンスは低下するが、それらの間のインピーダンスは高くなるとされている。
【特許文献１】特開２００３−２５７５６７号公報
【発明の開示】
【発明が解決しようとする課題】
【０００７】
コネクタの設計においては、特許文献１に開示されたような電気的な設計の他、構造的な設計が重要である。ＨＤＤ側のコネクタはＨＤＤの回路基板上に実装される、典型的には、その回路基板はＨＤＤのエンクロージャを構成するベースの外側表面に固定される。ユーザが、ＨＤＤ側のコネクタとホスト側のコネクタとを接続する際、ＨＤＤ側のコネクタに大きな力が加わることがある。ＨＤＤ側のコネクタに大きな力が加わると、コネクタの接続端子と回路基板との接続が破損することがある。特に、コネクタを回路基板から引き剥がす方向に力が加わると、接続の破損の可能性が大きくなる。
【０００８】
図１１は、従来のパラレルＡＴＡのコネクタ構造を示している。コネクタ５１は、回路基板５２上に実装されている。コネクタ５１は、ハウジング５１１とハウジングに固定された複数の接続端子５１２を備えている。接続端子５１２は回路基板５２と半田によって接続され、また、ハウジング５１１から突出している。ホスト側コネクタとの接続においては、ハウジング５１１から突出している接続端子５１２がホスト側の接続穴に挿入される。これによって電気的なコンタクトが得られると共に、コネクタ同士が固定される。
【０００９】
一方、シリアルＡＴＡコネクタの接続においては、ＨＤＤ側とホスト側の各コネクタのハウジング同士が嵌合する（この点については「発明を実施するための最良の形態」において詳述する）。このため、パラレルＡＴＡのコネクタ構造と比較して、シリアルＡＴＡコネクタ構造はコネクタ同士のより確実な接続が得られる一方、ＨＤＤ側コネクタに対してより大きな力が加えられやすい構造となっている。従って、シリアルＡＴＡコネクタにおいて、コネクタの回路基板に対する固定を改善する必要性が高い。
【００１０】
本発明は上記のような事情を背景としてなされたものであって、本発明の目的は、回路基板とコネクタの固定を改善することである。
【課題を解決するための手段】
【００１１】
本発明の第１の態様に係るデータ記憶装置は、データ記憶装置本体と、前記データ記憶装置本体に実装された回路基板と、ハウジングと前記ハウジングに配置された複数の接続端子とを備え、前記回路基板上に実装されたコネクタと、前記ハウジングが前記回路基板の表面から離れる方向に動いた場合に、前記ハウジングと対向する壁部に当接して前記ハウジングの動きを止めるストッパと、を有するものである。ストッパを有することによってハウジングの動き規制し、コネクタと回路基板との間の接続の破損を抑制することができる。
【００１２】
前記ストッパは前記ハウジングと別部材で形成され、前記回路基板に固定され、前記ハウジングと嵌合し、前記コネクタを前記回路基板に固定することが好ましい。ストッパがコネクタを回路基板に固定するスティッフナとして機能することによって、コネクタの動きの規制と回路基板への固定を効果的に行うことができ、また、部材点数を低減することができる。
【００１３】
前記ストッパの前記回路基板からの高さは、前記ハウジングの最も高い位置よりも高いことが好ましい。これによって、ハウジングが動く範囲を小さくすることがでいる。
【００１４】
前記ハウジングは前記複数の接続端子が固定されるベース部と、前記ベース部の側部に形成された側壁部とを備え、前記複数の接続端子は前記ベース部に配列され、前記ベース部から前方に突出し対応コネクタと接続されるコンタクト部を備え、前記ストッパは前記側壁部に形成された穴に嵌合し、前記複数の接続端子が配列された方向において前記コンタクト部と対向していることが好ましい。コネクタを固定するストッパが上記の配置にあることによって、コネクタの動きの規制と回路基板への固定を効果的に行うことができる。
【００１５】
前記側壁部は、前記複数のコンタクト部と対向する位置に、前記コネクタと接続される対応コネクタのハウジングが嵌合する嵌合穴を備え、前記ストッパの前記回路基板からの高さは前記側壁部の最も高い位置よりも高いことが好ましい。ストッパが側壁部の嵌合穴と嵌合することで基板の実装面積が有効に利用できると共に、ハウジングを確実に固定することができる。また、側壁部よりもストッパが高いことによって、ハウジングの動きを効果的に規制することができる。
【００１６】
前記コネクタと接続される対応コネクタのハウジングと、前記コネクタの前記ハウジングとが嵌合する場合、本発明は特に有用である。
【００１７】
前記データ記憶装置本体は、記録媒体を収容するエンクロージャを備え、前記回路基板は前記エンクロージャの外表面上に、前記コネクタが前記エンクロージャと対向するように配置され、前記ハウジングと対向する壁部は前記エンクロージャの一部であることができる。
【００１８】
前記コネクタは前記回路基板の一辺側に配置され、前記回路基板は前記エンクロージャと前記一辺側の両コーナ部においてネジによって固定されており、前記ストッパが嵌合する前記回路基板に形成された穴の中心は、前記両コーナ部のネジのヘッドの前記一辺側の基板端から最も内側に位置する点をそれぞれ結ぶ線の上、もしくはその線より前記基板端側に形成されていることが好ましい。これによって、コネクタの回路基板への固定をより確実なものとすることができる。
【００１９】
さらに、前記ストッパが嵌合する前記回路基板に形成された穴の中心は、前記両コーナ部のネジがそれぞれ嵌合する前記回路基板に形成された穴の中心を結ぶ線の上、もしくはその線より前記基板端側に形成されていることが好ましい。
【００２０】
本発明の第２の態様に係るデータ記憶装置は、記録媒体を収容するエンクロージャを備えるデータ記憶装置本体と、前記エンクロージャの面上に配置された回路基板と、ハウジングと前記ハウジングに配置された複数の接続端子とを備え、前記回路基板の一辺側に配置されたコネクタと、前記回路基板に固定され、前記ハウジングと嵌合し、前記コネクタを前記回路基板に固定するスティッフナと、を有し、前記回路基板は前記エンクロージャと前記一辺側の両コーナ部においてネジによって固定され、前記スティッフナが嵌合する前記回路基板に形成された穴の中心は、前記両コーナ部のネジのヘッドの前記一辺側の基板端から最も内側に位置する点をそれぞれ結ぶ線の上、もしくはその線より前記基板端側に形成されている。スティッフナが嵌合する回路基板に形成された穴を上記位置とすることによって、コネクタの回路基板への固定をより確かなものとすることができる。
【００２１】
さらに、前記スティッフナが嵌合する前記回路基板に形成された穴の中心は、前記両コーナ部のネジがそれぞれ嵌合する前記回路基板に形成された穴の中心を結ぶ線の上、もしくはその線より前記基板端側に形成されていることが好ましい。
【００２２】
本発明の第３の態様は、データ記憶装置の記録媒体を収容するエンクロージャの面上に配置される回路基板上において、前記エンクロージャと対向する位置に固定されるコネクタであって、ハウジングと、前記ハウジングに配置された複数の接続端子と、前記ハウジングに形成された穴に嵌合し、前記ハウジングの前記回路基板への実装面と反対側において前記ハウジングの表面の最も高い位置よりも突出している突出部材とを有する。これによって、コネクタが回路基板に実装された際における回路基板との接続部の破損を抑制することができる。
【００２３】
本発明の第４の態様に係る磁気ディスク装置は、磁気ディスクを収容し、ベースとトップカバーを有するエンクロージャと、前記ベースの外側に配置され、制御回路が実装された回路基板と、ハウジングと前記ハウジングに配置された複数の接続端子とを備え、前記回路基板上に実装されたコネクタと、前記基板に固定され、前記ハウジングを前記基板に固定するスティッフナと、を有し、前記ハウジングは前記複数の接続端子が配列されるベース部と、前記ベース部の側部に形成された側壁部とを備え、前記複数の接続端子は、前記ベース部から前方に突出しホスト側コネクタと接続されるコンタクト部を備え、前記スティッフナは前記側壁部に形成された穴に嵌合し、前記複数の接続端子が配列された方向において前記コンタクト部と対向し、前記側壁部の前記ベースと対向する面から突出し、前記スティッフナと前記ベースとの距離は前記側壁部と前記ベースとの間の最も小さいギャップよりも小さい。上記スティッフナを有することによって、コネクタと回路基板との接続部の破損を抑制することができる。
【発明の効果】
【００２４】
本発明によれば、回路基板とコネクタの固定を改善することができる。
【発明を実施するための最良の形態】
【００２５】
以下に、本発明を適用可能な実施の形態が説明される。以下の説明は、本発明の実施形態を説明するものであり、本発明が以下の実施形態に限定されるものではない。説明の明確化のため、以下の記載及び図面は、適宜、省略及び簡略化がなされている。また、当業者であれば、以下の実施形態の各要素を、本発明の範囲において容易に変更、追加、変換することが可能である。尚、各図面において、同一要素には同一の符号が付されており、説明の明確化のため、必要に応じて重複説明は省略されている。
【００２６】
本形態のハード・ディスク・ドライブ（以下、ＨＤＤ）は、シリアルＡＴＡ（AT Attachment）インターフェースに合致したコネクタを備えている。コネクタは回路基板上に実装されている。ＨＤＤ側のコネクタとホスト側（例えばパーソナルコンピュータなど）の対応コネクタとの接続において、ＨＤＤ側のコネクタに大きな力が加わり、コネクタの接続端子と回路基板との間の接続が破損する場合がある。
【００２７】
本形態のＨＤＤは、外力によるコネクタの移動を止めるストッパを備えている。これによってコネクタの動く量を小さくすることができ、コネクタと回路基板との接続の破損を防止することができる。本形態において、コネクタを回路基板に固定するスティッフナがストッパとして機能する。また、ストッパの回路基板に対する固定位置は、コネクタの固定をより確実なものとできるように適切な位置に設定される。
【００２８】
図１は、本実施形態に係る、データ記憶装置の一例であるＨＤＤの概略構成を示す分解斜視図である。ＨＤＤ１は、ＨＤＤ本体１１とＨＤＤ本体１１に実装される回路基板１５とを備えている。ＨＤＤ本体１１は、ベース１１１とトップカバー１１２から構成されるエンクロージャ内に、各構成部品を収容している。ベース１１１はＨＤＤ１１の各構成要素を収容し、ベース１１１の上部開口を塞ぐトップカバー１１２とガスケット（不図示）を介して固定されることによって、ＨＤＤ本体１１の各構成要素を密閉状態で収容することができる。
【００２９】
回路基板１５上には、コネクタ１６が実装されている。コネクタ１６は、回路基板１５の一辺側に配置され、回路基板１５に固定されている。回路基板１５の一辺において凹部が形成され、その凹部にコネクタ１６を嵌め合わせるようにして、回路基板１５にコネクタ１６が実装されおり、コネクタ１６の一辺が回路基板１５の一辺に沿い、これらが実質的に揃った位置にある。本形態のコネクタ１６は、シリアルＡＴＡインターフェース規格に準拠した構造を備えている。
【００３０】
尚、コネクタ１６の構造及びコネクタ１６と回路基板１５との固定方法については後に詳述する。また、回路基板１５上にはＨＤＤ１１本体の制御及びホストとＨＤＤ１１との間のデータ通信の制御を行う各種ＩＣなどの回路要素が実装される。例えば、ＨＤＣ（Hard Disk Controller）／ＭＰＵ、リード／ライトチャネル、モータ・ドライバなどの各種ＩＣが、回路基板１５のＨＤＤ本体１１側表面に実装されるが、図１において回路基板１５上の回路要素は省略されている。
【００３１】
コネクタ１６について説明する前に、まず、ＨＤＤ本体１１について概略を説明する。図２は、ＨＤＤ本体１１の内部構成の概略を示す平面図である。図２において、１１３は、磁性層が磁化されることによってデータを記録する不揮発性の記録媒体である磁気ディスクである。磁気ディスク１１３はスピンドル・モータ１１４に固定され、スピンドル・モータ１１４は磁気ディスク１１３を所定速度で回転するである。１１５は、ホスト（不図示）との間で入出力されるデータについて、磁気ディスク１１３への書き込み及び／または読み出しを行うヘッドである。ヘッド１１５は、磁気ディスク１１３への記憶データに応じて電気信号を磁界に変換する記録素子及び／または磁気ディスク１１３からの磁界を電気信号に変換する再生素子を有している。さらに、ヘッド１１５は、記録素子及び／または再生素子がその面上に形成されているスライダを有している。
【００３２】
ヘッド１１５はアクチュエータ１１６に保持されている。アクチュエータ１１６は、回動軸１１７に回動自在に保持されており、キャリッジ１１８とＶＣＭ（ボイス・コイル・モータ）１１９とを備えている。尚、ＶＣＭ１１９の一部が便宜上切り欠いて図示され、外形が破線で示されている。ＶＣＭ１１９は、回路基板１５上の回路からフラットコイル１２０に流される駆動信号に応じて、回動軸１１７を中心としてキャリッジ１１８を回動し、回転する磁気ディスク１１３の上にヘッド１１５を移動する。
【００３３】
また、ＶＣＭ１１９は、磁気ディスク１１３の回転が停止するときには、磁気ディスク１１３の外側へヘッド１１５移動する。磁気ディスク１１３の回転が停止するときには、アクチュエータ１１６はヘッド１１５を磁気ディスク１１３上からランプ機構１２１に退避させる。この他、ヘッド１１５がデータ書き込み／読み出し処理を行わない場合に、磁気ディスク１１３の内周に配置されているゾーンに退避するＣＳＳ（Contact Start and Stop）方式が知られている。尚、図１において明示されていないが、ＨＤＤ本体１１は、積層配置された複数の磁気ディスクを備え、典型的には、磁気ディスク両面にデータが記憶される。また、それぞれが各磁気ディスクの各記録面に対応する複数のヘッドがアクチュエータ１１６に保持されている。
【００３４】
続いて、回路基板１５に実装されたコネクタ１６について説明する。図３及び図４は、回路基板１５におけるホストとの接続部を示す斜視図である。図３は、回路基板１５をコネクタ１６が実装されている側（ベース１１１側）から見た図であり、図４はその反対側から見た図である。図３に示すように、回路基板１５の一辺側にコネクタ１６が実装されると共に、コネクタ１６を回路基板１５に固定する２つのスティッフナ１７ａ、１７ｂが回路基板１５上に実装されている。本形態は、コネクタ１６を回路基板１５に、より確実に固定するため、コネクタ１６の両側壁部でコネクタ１６をそれぞれ固定する２つのスティッフナ１７ａ、ｂを備えている。尚、以下においては、スティッフナ１７ａ、ｂを総称したものをスティッフナ１７と示す。
【００３５】
コネクタ１６は、樹脂で形成された絶縁ハウジング１６１を備えている。ハウジング１６１は、回路基板１５上に立設され回路基板１５の辺に沿う方向に延在するベース部６１１と、ベース部６１１から前方（回路基板１５表面に平行であって、回路基板１５の外側に向かう方向）に突出するプレート状の２つの突出部６１２ａ、ｂを備えている。ハウジング１６１は、さらに、その両側に側壁部６１３ａ、６１３ｂを備えている。尚、以下においては、突出部６１２ａ、ｂを総称したものを突出部６１２と、側壁部６１３ａ、６１３ｂを総称したものを側壁部６１３と表す。
【００３６】
コネクタ１６は、ハウジング１６１内に配置された複数の接続端子１６２を備えている。複数の接続端子１６２は、回路基板１５の辺に沿った方向（ホストの対応コネクタとの接続方向と実質的に垂直な方向）に配列されている。複数の接続端子１６２のそれぞれは、ホスト側の対応コネクタの接続端子と接触するコンタクト部１６２ａ（図４参照）と、回路基板１５と接続される接続部１６２ｂ（図３参照）とを備えている。コンタクト部１６２ａは、図４に明示されているように、突出部６１２に固定されている。
【００３７】
２つの突出部６１２ａ、６１２ｂは分離して形成されており、一方の突出部６１２ａは電源系のコンタクト部１６２ａを保持し、もう一方の突出部６１２ｂは信号系のコンタクト部１６２ａを保持している。複数の接続端子１６２は、それぞれ、突出部６１２からベース部６１１の貫通孔を通って回路基板１５側へ延び、接続部１６２ｂが回路基板１５上の接続端子と半田によって接続されている。
【００３８】
側壁部６１３ａ、６１３ｂの内側、つまり、突出部６１２と対向する側には、ホスト側の対応コネクタ（図５のホスト側コネクタ４１参照）の凸部と嵌合する嵌合凹部（嵌合穴）６１４ａ、６１４ｂがそれぞれ形成されている。ホスト側の対応コネクタには、嵌合凹部６１４ａ、６１４ｂとそれぞれ嵌合する凸部と、突出部６１２ａ、６１２ｂとそれぞれ嵌合する凹部（穴）が形成されている。接続端子１６２のコンタクト部１６２ａは、ホスト側の対応コネクタの凹部に形成された対応接続端子に接続される。
【００３９】
パラレルＡＴＡのコネクタは、その接続端子がホスト側コネクタと接続され、ハウジングどうしは直接に接続していなかった。一方、シリアルＡＴＡのコネクタ構造においては、上記のようにハウジング同士が嵌合する。このため、ユーザによってホスト側のコネクタと接続される際、ＨＤＤ側のコネクタ１６に、パラレルＡＴＡのコネクタより大きな力が加えられやすい。このように、シリアルＡＴＡのコネクタ構造は、パラレルＡＴＡのコネクタよりも、コネクタ１６と回路基板１５との接続が破損しやすい構造となっている。
【００４０】
図３に示すように、側壁部６１３ａ、６１３ｂの外側、つまり、嵌合凹部６１４ａ、６１４ｂを挟んで突出部６１２の反対側において、スティッフナ１７ａ、ｂがそれぞれ、側壁部６１３ａ、６１３ｂと嵌合している。本例においては、金属で形成されたＴ字状のスティッフナ１７が例示されている。スティッフナ１７ａ、ｂは、それぞれ、回路基板１５上の穴に嵌合し、半田によって回路基板１５に固定される。Ｔ字状スティッフナ１７ａ、ｂのヘッド部１７１ａ、ｂは、それぞれ、側壁部６１３ａ、６１３ｂの上面（回路基板１５と反対側の表面）と当接し、ハウジング１６１を回路基板１５に対して固定する。ハウジング１６１は、典型的には、回路基板１５に接着などされておらず、このスティッフナ１７によって回路基板１５にしっかりと固定されている。
【００４１】
本形態のスティッフナ１７は、コネクタ１６を回路基板１５に固定する機能に加えて、コネクタ１６の動きを規制し、コネクタ１６の破損を防止する機能を備えている。コネクタ１６とホスト側の対応コネクタと接続（もしくは取り外し）する際、コネクタ１６に大きな力が加えられることがある。特に、コネクタ１６に対して、回路基板１５表面に垂直な方向において回路基板１５から離れる方向に大きな力が加えられると、コネクタ１６が動き、接続端子１６２（接続部１６２ｂ）と回路基板１５との接続が破損することがある。本形態のスティッフナ１７は、この動きを止めるストッパとして機能する。
【００４２】
図５は、回路基板１５がＨＤＤ本体１１に実装された状態を示す斜視図である。回路基板１５はＨＤＤ本体１１のエンクロージャの外側に配置されており、具体的には、ベース１１１の外側表面にネジによって固定されている。コネクタ１６がベース１１１と対向するように回路基板１５はベース１１１に固定されており、回路基板１５とベース１１１との間の空間にコネクタ１６（の少なくとも一部）が位置している。スティッフナ１７ａ、ｂのヘッド部１７１ａ、ｂは、ハウジング１６１のベース１１１と対向する表面から突出している。つまり、スティッフナ１７ａ、ｂのヘッド部１７１ａ、ｂはベース１１１の一部と対向しており、ハウジング１６１とベース１１１との間にスティッフナ１７ａ、ｂのヘッド部１７１ａ、ｂが位置する。
【００４３】
ホスト側のコネクタ４１との接続時、ハウジング１６１（コネクタ１６）に外力が加わると、回路基板１５が曲がり、ハウジング１６１が回路基板１５表面から離れる方向、つまり、ベース１１１側に動く。回路基板１５の変形によって、スティッフナ１７ａ、ｂもハウジング１６１と共にベース１１１側に動き、スティッフナ１７ａ、ｂのヘッド部１７１ａ、ｂが対向するベース１１１の外側表面に当接する。スティッフナ１７がその対向する壁部（ベース１１１）と当接することによって、スティッフナ１７が停止し、回路基板１５の変形及びコネクタ１６の移動が止められる。このように、スティッフナ１７がコネクタ１６（ハウジング１６１）のストッパとして機能することによって、接続端子１６２と回路基板１５との接続の破損を防止することができる。尚、上記のように、確実な固定と破損防止の観点から、ハウジング１６１の両側に本形態のスティッフナ１７を備えることが好ましい。
【００４４】
図６は、図５におけるＶＩ−ＶＩ線で指示された部分を示す、ＨＤＤ１の側面図である。また、図７は、コネクタ１６の挿入口側から見たコネクタ１６及びスティッフナ１７の構成を示す側面図である。図７に示すように、スティッフナ１７は、ハウジング１６１の表面よりもベース１１１側に突出しており、スティッフナ１７のトップの回路基板１５からの高さは、ハウジング１６１の最も高い点の高さよりも高い。つまり、図６に示すように、スティッフナ１７のトップとベース１１１との間のギャップは、ハウジング１６１とベース１１１との間のギャップよりも小さい値となっている。このため、外力によってコネクタ１６とスティッフナ１７がベース１１１側へ動くと、コネクタ１６（ハウジング１６１）よりもスティッフナ１７が先にベース１１１に接触し、コネクタ１６の移動量を効果的に小さくすることができる。
【００４５】
上記のように、スティッフナ１７のトップの回路基板１５からの高さは、ハウジング１６１の最も高い位置よりも高いことが好ましい（図７を参照）。つまり、スティッフナ１７のトップとそのトップに対向するベース１１１とのギャップは、ハウジング１６１のベース１１１側表面とそれに対向するベース１１１とのギャップの最も小さい値よりも小さいことが好ましい。
【００４６】
しかし、コネクタ同士の接続において大きく動く部分は、ホスト側コネクタとの接続側の部分、つまり、ベース部６１１よりも前側（ホストの対応コネクタ挿入側）の部分である側壁部６１３ａ、ｂや突出部６１２ａ、ｂである。このため、スティッフナ１７ａ、ｂのトップが、それぞれ、側壁部６１３ａ、ｂの高さよりも高い（側壁部６１３ａ、ｂの最も高い位置よりも高い）ことによって、コネクタ１６の移動量を効果的に小さくすることができ、接続端子１６２と回路基板１５との接続の破損を効果的に防止することができる。
【００４７】
尚、本例においては、スティッフナ１７が当接する壁部はベース１１１であるが、ベース１１１以外の構成部をスティッフナ１７の対向位置に配置してもよい。また、スティッフナ１７は、通常時においてベース１１１と当接していることも可能である。しかし、コネクタ１６や回路基板１５に好ましくない力が加わることを避けるため、スティッフナ１７とベース１１１との間にギャップが形成されていることが好ましい。ギャップの大きさは、製造公差などを考慮して設定される。
【００４８】
図８は、コネクタ１６及びスティッフナ１７の構成を示す図である。図８（ａ）は、ベース１１１側から見たコネクタ１６及びスティッフナ１７の平面図、図８（ｂ）は、図８（ａ）において点線で指示された部分の拡大図である。図８（ｃ）は、図８（ｂ）に対して側壁部６１３ｂ側から見た側面図、図８（ｄ）は図８（ｂ）に対してホストの対応コネクタ挿入側（突出部６１２側）から見た側面図である。図８（ｂ）に示すように、Ｔ字状のスティッフナ１７ｂはハウジング１６１の側壁部６１３ｂに形成された嵌合穴に嵌合している。
【００４９】
既に説明したように、Ｔ字状のスティッフナ１７ｂのボトム側は、回路基板１５の貫通穴を貫通し、半田によって回路基板１５に接続、固定されている。製造時において、スティッフナ１７ｂは、ハウジング１６１の上側から嵌合穴に挿入することができる。スティッフナ１７ｂのトップ側のヘッド１７１ｂは側壁部６１３ｂの嵌合穴の径よりも大きく、側壁部６１３ｂのベース１１１側表面と当接している。このように、製造の容易性及び固定の確実性の観点から、スティッフナ１７ａ、ｂのヘッド部１７１ａ、ｂがハウジング１６１の上面と当接することによって、コネクタ１６を固定することが好ましい。
【００５０】
図８（ｂ）に示されているように、スティッフナ１７ｂは側壁部６１３ｂ内に配置されているため、接続端子１６２が配列されている方向（回路基板１５の一辺に沿う方向）において、スティッフナ１７ｂは突出部６１２及び接続端子１６２のコンタクト部１６２ａと対向する位置に配置されている。上記のように、コネクタ１６の接続における外力は、ベース部６１１よりも前側の部分に加わり、その部分が大きく動く。
【００５１】
図８（ｄ）に示すように、スティッフナ１７ｂが上記の位置に配置されていることによって、コネクタ１６のベース１１１側への小さな動きによってスティッフナ１７ｂとベース１１１とが当接し、接続端子１６２と回路基板１５との接続の破損を効果的に防止することができる。さらに、外力に抗して効果的にコネクタ１６を回路基板１５に固定することができる。尚、図８を参照してスティッフナ１７ｂについて説明をしたが、スティッフナ１７ａもスティッフナ１７ｂと同様の形状で形成され、同様の位置に配置されている。
【００５２】
上記のように、スティッフナ１７はハウジング１６１に嵌合していることが、回路基板１５の占有面積、あるいはハウジング１６１の固定の点から好ましい。しかし、スティッフナ１７をハウジング１６１の外側に配置することも可能である。例えば、Ｌ字状のスティッフナをハウジング１６１の両側壁部６１３の外側表面と接触するように配置し、ハウジング１６１の上面のコーナとＬ字状のスティッフナの屈曲部と嵌合させることができる。また、スティッフナ１７の形状は、Ｔ字状、Ｌ字状の他、円形もしくは矩形のヘッドを有するものなど、コネクタ１６を固定することができるいかなる形状に設計することができる。また、強度の観点からスティッフナは金属で形成されていることが好ましいが、これを樹脂などの他の材料で形成することが可能である。
【００５３】
本形態においては、コネクタ１６を回路基板１５に固定するスティッフナ１７がコネクタ１６（ハウジング１６１）の動きを止めるストッパの機能を備えている。部材点数の低減、シンプルな構成あるいはコネクタ１６の確実な固定とその動きの停止の観点からは、スティッフナ１７がストッパの機能を備えていることが好ましい。しかし、スティッフナ１７とは別にストッパを回路基板１５上に実装することも可能である。
【００５４】
例えば、ハウジング１６１の外側の回路基板１５上に柱状のストッパを固定することができる。この他、ハウジング１６１と一体的にストッパを形成することができる。例えば、側壁部６１３の上面（ベース１１１側表面）に凸部を形成し、ベース１１１と当接するストッパとして機能させることができる。尚、このようにスティッフナと別に構成されたストッパを使用する場合、ハウジング１６１を回路基板１５に固定するため、スティッフナもしくはこれに変わる固定手段を使用することが望ましい。
【００５５】
上記のように、コネクタ１６をよりしっかりと回路基板１５に固定する観点から、スティッフナ１７はコネクタ１６の前側、つまり、回路基板１５に基板端に近い位置に配置されていることが好ましい。また、コネクタ１６の動く範囲を小さくする観点からも同様である。図９は、回路基板１５をベース１１１と反対側から見た平面図である。図９において、スティッフナ１７ａ、ｂが嵌合する回路基板１５の貫通穴１５１ａ、ｂの位置と、回路基板１５をベース１１１に固定するネジが挿入されるネジ穴１５２ａ、ｂの位置との関係が示されている。
【００５６】
ネジ穴１５２ａ、ｂは、回路基板１５のコネクタ１６が固定された一辺側における両コーナ部にそれぞれ形成されている。図９において、スティッフナ１７ａ、ｂと嵌合する貫通穴１５１ａ、ｂのそれぞれの中心位置は、ネジ穴１５２ａ、ｂの中心位置を結ぶ線上に配置されている。コネクタ１６の固定の点から、貫通穴１５１ａ、ｂとネジ穴１５２ａ、ｂもしくはネジ穴１５２ａ、ｂに挿入されるネジとの位置関係が重要な要素となる。
【００５７】
図１０は、スティッフナ１７ａ、ｂと嵌合する貫通穴１５１ａ、ｂの好ましい形成位置を示している。貫通穴１５１ａ、ｂのそれぞれの中心位置は、ネジ１５３ａ、ｂのヘッドの回路基板１５内側（基板端の反対側）の端をそれぞれ結ぶ線の上、もしくはその線より回路基板１５端側に形成されていることが好ましい。接続時にコネクタ１６が回路基板１５から離れる方向に外力が加えられる場合、回路基板１５が変形する。回路基板１５をベース１１１に固定するネジ１５３ａ、ｂは、コネクタ１６に最も近いネジであり、回路基板１５が変形するときの支点と見なすことができる。
【００５８】
コネクタ１６（ハウジング１６１）を回路基板１５に固定するスティッフナ１７ａ、ｂは、この支点の位置よりも基板端側において回路基板１５に固定されていることが好ましい。このため、貫通穴１５１ａ、ｂのそれぞれの中心位置は、回路基板１５内側の支点の端に相当する両コーナ部のネジ１５３ａ、ｂのヘッドの基板端から最も内側に位置する点をそれぞれ結ぶ線の上、もしくはその線より前記基板端側に形成されていることが好ましい。さらに好ましくは、貫通穴１５１ａ、ｂのそれぞれの中心位置は、支点の中心となるネジ穴１５２ａ、ｂの各中心位置を結ぶ線の上、もしくはその線より基板端側に形成されていることが好ましい。
【００５９】
一方、貫通穴１５１ａ、ｂが基板端に近すぎる場合、回路基板１５に亀裂が入る可能性がある。このため、回路基板１５に亀裂が入らないように、貫通穴１５１ａ、ｂの基板端からの距離が設定される。好ましくは、貫通穴１５１ａ、ｂの中心と基板端との距離は、０．５ｍｍ以上に設定される。尚、上記のように、貫通穴１５１ａ、ｂの位置は、ストッパとして機能しないスティッフナに適用することができる。これによって、コネクタ１６をより確実に回路基板１５に固定することができる。さらに、ストッパとして機能するスティッフナ１７に適用することで、ストッパの機能を促進する。尚、回路基板１５に十分な厚みがある場合、スティッフナ１７と嵌合する穴は、回路基板１５を貫通する必要はない。
【００６０】
以上のように、本実施形態は、ストッパによって外力によるコネクタの動く範囲を小さくし、接続時などにおけるコネクタと回路基板との間の接続の破損を防止することができる。また、コネクタを回路基板に固定するスティフナを、回路基板の所定位置に固定することによって、回路基板に対するコネクタの固定を改善し、回路基板とのコネクタとの間の接続の破損を抑制することができる。
【００６１】
尚、上記において、ＨＤＤのシリアルＡＴＡインターフェースに準拠したコネクタを例として本発明の接続構造を説明した。本発明の接続構造は、シリアルＡＴＡコネクタにおいて、特に大きな効果を奏する。しかし、パラレルＡＴＡなどの他のタイプのコネクタについて、本発明を適用することも可能である。
【図面の簡単な説明】
【００６２】
【図１】本実施の形態に係るハード・ディスク・ドライブの概略構成を示す分解斜視図である。
【図２】本実施の形態に係るハード・ディスク・ドライブ本体の内部構成の概略を示す平面図である。
【図３】本実施の形態に係るシリアルＡＴＡコネクタの構成を示す斜視図である。
【図４】本実施の形態に係るシリアルＡＴＡコネクタの構成を示す斜視図である。
【図５】本実施の形態に係る回路基板がハード・ディスク・ドライブ本体に実装された状態を示す斜視図である。
【図６】図５におけるＶＩ−ＶＩ´線で指示された部分を示す、ハード・ディスク・ドライブの側面図である。
【図７】本実施の形態に係るシリアルＡＴＡコネクタの挿入口側から見たコネクタ及びスティッフナの構成を示す側面図である。
【図８】本実施の形態に係るコネクタ及びスティッフナの構成を示す図である。
【図９】本実施の形態に係る回路基板をベースと反対側から見た平面図である。
【図１０】本実施の形態に係るスティッフナと嵌合する回路基板上の貫通穴の好ましい形成位置を示す図である。
【図１１】従来の技術におけるパラレルＡＴＡコネクタの構成を示す斜視図である。
【符号の説明】
【００６３】
１  ＨＤＤ、１１  ＨＤＤ本体、１５  回路基板、１６  コネクタ、
１７  スティッフナ、４１  ホスト側コネクタ、５１  コネクタ、
５２  回路基板、１１１  ベース、１１２  トップカバー、
１１３  磁気ディスク、１１４  スピンドル・モータ、１１５  ヘッド、
１１６  アクチュエータ、１１７  回動軸、１１８  キャリッジ、
１２０  フラットコイル、１２１  ランプ機構、１５１  貫通穴
１５２  ネジ穴、１５３  ネジ、１６１  ハウジング、１６２  接続端子、
１６２ａ  コンタクト部、１６２ｂ  接続部、１７１ａ、１７１ｂ  ヘッド部、
５１１  ハウジング、５１２  接続端子、６１１  ベース部、
６１２ａ、６１２ｂ  突出部、６１３ａ、６１３ｂ  側壁部、
６１４ａ、６１４ｂ  嵌合凹部
【図１】
2006073481.tif 000003
【図２】
2006073481.tif 000004
【図３】
2006073481.tif 000005
【図４】
2006073481.tif 000006
【図５】
2006073481.tif 000007
【図６】
2006073481.tif 000008
【図７】
2006073481.tif 000009
【図８】
2006073481.tif 000010
【図９】
2006073481.tif 000011
【図１０】
2006073481.tif 000012
【図１１】
2006073481.tif 000013